(57)【特許請求の範囲】
【請求項１】
底面が中央近傍に向かって隆起したボウルと、
固定水栓と、
を有し、
前記ボウルの底面の頂点は、前記水栓の着水位置よりも奥側、かつ平面視で該水栓の吐水位置と着水位置を結ぶ線上にあり、
前記ボウルの底面の周辺は、前記水栓の吐水位置と着水位置を結ぶ線との手前側の交点が最も高いことを特徴とする洗面化粧台。
【請求項２】
前記ボウルの排水口は該ボウルの奥の一方の角部に配置されていて、
前記水栓は前記ボウルの左右方向において前記排水口と同じ側にあり、
前記水栓の吐水方向は前記ボウルの前後方向および左右方向において斜めであることを特徴とする請求項１に記載の洗面化粧台。
【請求項３】
前記ボウルの排水口は該ボウルの奥の一方の角部に配置されていて、
前記ボウルの底面は、該ボウルの奥の他方の角部が切り欠かれた形状をしていることを特徴とする請求項１または２に記載の洗面化粧台。
【請求項４】
前記ボウルの底面の少なくとも前記排水口と隣接する２辺には、該排水口に接続された溝が形成されていることを特徴とする請求項２または３に記載の洗面化粧台。
【請求項５】
前記底面は、前記溝と、前記頂点から離れるにしたがって緩やかに下方に傾斜する傾斜平面とを含み、
前記傾斜平面のうち、前記排水口の縁には隆起部が形成されていることを特徴とする請求項４に記載の洗面化粧台。
【発明の詳細な説明】
【技術分野】
【０００１】
本発明は、浴室に隣接した脱衣所等に配置され、洗顔等に使用される洗面化粧台に関するものである。
【背景技術】
【０００２】
浴室に隣接して設けられる脱衣所などには洗面化粧台が設置される。洗面化粧台はボウルを備えていて、ここにおいて洗面や洗髪、歯磨き等が行われる。一般に、ボウルは、その底面中央に排水口が設けられていて、かかる排水口に向かって底面が下方に傾斜している。これに対し、例えば特許文献１にはボウル本体の底面を上向き凸の凸曲面とした構成が開示されている。特許文献１によれば、かかる構成により、蛇口から流下した水を凸曲面の頂点から弧面に沿って流すことができるため、水跳ねが少なくなるとしている。
【先行技術文献】
【特許文献】
【０００３】
【特許文献１】特開２００７−１９８０１９号公報
【発明の開示】
【発明が解決しようとする課題】
【０００４】
ここで、洗面化粧台のボウルにおいて洗面や洗髪等が行われると、ボウル内の特に手前側に洗顔料等の泡が生じる。この泡を効率的に流すためには、ボウル内の手前側に流れる水の量を増やす必要がある。しかしながら、上述した特許文献１のボウルでは、水栓（蛇口）からの水は、正方形のボウルの中心から四方に向かって流れていくため、水の流れる量は全体的に均一となる。このため、特許文献１のボウルであるとその手前側に泡の滞留が起こりやすく、更なる改良の余地があった。
【０００５】
本発明は、このような課題に鑑み、洗顔時や洗髪時等にボウルの手前側に生じた泡を効率的に流すことができ、泡の滞留ひいては汚れの付着を抑制することが可能な洗面化粧台を提供することを目的としている。
【課題を解決するための手段】
【０００６】
上記課題を解決するために、本発明にかかる洗面化粧台の代表的な構成は、底面が中央近傍に向かって隆起したボウルと、固定水栓と、を有し、ボウルの底面の頂点は、水栓の着水位置よりも奥側、かつ平面視で水栓の吐水位置と着水位置を結ぶ線上にあり、ボウルの底面の周辺は、水栓の吐水位置と着水位置を結ぶ線との手前側の交点が最も高いことを特徴とする。
【０００７】
上記構成によれば、ボウルの底面の頂点が水栓の着水位置よりも奥側にあることにより、水栓からボウルの底面に着水した水は、底面の奥側よりも手前側に多く流れる。これにより、ボウルの手前側に生じた泡を効率的に流すことができ、泡の滞留ひいては底面への汚れの付着を抑制することが可能となる。またボウルの底面の頂点が、平面視で水栓の吐水位置と着水位置を結ぶ線上に位置することにより、底面に着水した水の手前側への流れを促進することができる。
【０００８】
更に上記構成では、ボウルの底面の周辺は、水栓の吐水位置と着水位置を結ぶ線との手前側の交点が最も高くなっている。これにより、底面の頂点からボウルの手前側に流れた水は、底面の周辺に到達すると、水栓の吐水位置と着水位置を結ぶ線との手前側の交点を境に左右両側に流れていく。そして、水は、底面の左右両側を経由して排水口に至る。これにより、ボウル底面の手前側における水の滞留を抑制することが可能となる。
【０００９】
上記ボウルの排水口はボウルの奥の一方の角部に配置されていて、水栓はボウルの左右方向において排水口と同じ側にあり、水栓の吐水方向はボウルの前後方向および左右方向において斜めであるとよい。
【００１０】
近年の水栓は、首を短くし、かつ手前側に落水するように、前後方向に斜めに吐水する構成のものが増えている。本発明ではさらにこれを左右方向にも斜めに設置し、かつ平面視で該水栓の吐水位置、着水位置、およびボウル底面の頂点を一直線上に配置している。吐水方向が左右方向にも斜めであることにより、着水位置からボウルの底面の周辺までの距離を長く取ることができるため、吐水の勢いを殺すことなく底面に広く水を流すことができる。そして、水栓を排水口と同じ側に配置したことにより、底面の周辺で左右に別れた水流が排水口まで流れる距離をおおむね同じにすることができる。
【００１１】
上記ボウルの排水口はボウルの奥の一方の角部に配置されていて、ボウルの底面は、ボウルの奥の他方の角部が切り欠かれた形状をしているとよい。これにより、ボウルの底面において、奥の他方の角部の曲がり角度を緩める、すなわち鈍角にすることができる。したがって、かかる角部における水の滞留を防ぐことができ、上述した効果を高めることが可能となる。また奥の他方の角部における水の流水経路が短くなるため、溝が深くなることを緩和することができる。
【００１２】
上記ボウルの底面の少なくとも排水口と隣接する２辺には、排水口に接続された溝が形成されているとよい。かかる構成によれば、ボウルの底面から排水口に向かってより水を効率的に流すことが可能となる。
【００１３】
上記底面は、溝と、頂点から離れるにしたがって緩やかに下方に傾斜する傾斜平面とを含み、傾斜平面のうち、排水口の縁には隆起部が形成されているとよい。かかる構成によれば、傾斜平面から排水口に向かって流れていった水は、隆起部を辿るように流れて溝に至り、排水口に流れ込む。すなわち隆起部が堤防として機能することにより、傾斜平面を流れてきた水は、隆起部を回りこむように流れ、排水口に直接流れこむことがない。したがって、水と共に流れてきた泡や汚れ等の排水口の縁への付着および滞留を抑制することができ、ボウル底面の清潔性を高めることが可能となる。
【発明の効果】
【００１４】
本発明によれば、洗顔時や洗髪時等にボウルの手前側に生じた泡を効率的に流すことができ、泡の滞留ひいては汚れの付着を抑制することが可能な洗面化粧台を提供することができる。
【図面の簡単な説明】
【００１５】
【図１】第１実施形態にかかる洗面化粧台の全体斜視図である。
【図２】図１に示す洗面化粧台を上方から観察した図である。
【図３】図２の断面図である。
【図４】図２の排水口近傍の拡大図である。
【図５】第２実施形態にかかる洗面化粧台３００の全体図である。
【発明を実施するための形態】
【００１６】
以下に添付図面を参照しながら、本発明にかかる給湯装置および給湯システムの好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
（第１実施形態）
図１は、第１実施形態にかかる洗面化粧台１００の全体斜視図である。図２は、図１に示す洗面化粧台１００を上方から観察した図である。図１および図２に示すように、本実施形態の洗面化粧台１００は、カウンター１１０、水栓１３０、ボウル２００、および排水口２９０を含んで構成される。
【００１８】
カウンター１１０は、洗面化粧台１００の土台となる部位であり、カウンター１１０の奥側には縦壁１２０が立設している。縦壁１２０には、水を供給する水栓１３０が取り付けられている。本実施形態では、水栓１３０として、ボウル２００への固定箇所（水栓の根元部部分）が左右方向に回動しない固定水栓を例示している。水栓１３０は、図１に示すように斜め前方、すなわちボウル２００の手前側に向かって吐水する。
【００１９】
また本実施形態では、ボウル２００の左側に周辺のカウンター１１０よりも低く設定されたウェットカウンター１４０が設けられている。これにより、洗面や洗髪の際に用いる洗顔料等（不図示）をウェットカウンター１４０に載置しておくことができ、使用者の利便性を高めることができる。
【００２０】
ボウル２００は、水栓１３０から供給される水を用いて使用者が洗面や洗顔等を行う領域である。ボウル２００の内部には、水を排水する排水口２９０が形成されている。本実施形態では特に、排水口２９０を、ボウル２００の奥の一方の角部（図１および図２では右側の角部を例示）に配置している。これにより、ボウル２００の底面中央付近に排水口を配置した場合に比して、ボウル２００の底面の使用効率を高めることができる。
【００２１】
図３は、図２の断面図であり、図３（ａ）は図２のＡ−Ａ断面図、図３（ｂ）は図２のＢ−Ｂ断面図、図３（ｃ）は図２のＣ−Ｃ断面図である。図１および図２に示すように、本実施形態のボウル２００の底面は、傾斜平面２１０と２つの溝（第１溝２１２ａおよび第２溝２１２ｂ）を含んで構成される。
【００２２】
図３（ａ）に示すように、ボウル２００の底面のうち傾斜平面２１０は、中央近傍に向かって隆起している。詳細には、傾斜平面２１０は、その頂点Ｔ１から離れるにしたがって緩やかに下方に傾斜している。そして本実施形態の特徴として、図１に示すように、ボウル２００の底面のうち、傾斜平面２１０の頂点Ｔ１は、水栓１３０の着水位置Ｐ１よりも奥側に位置し、図２に示すように平面視で水栓１３０の吐水位置Ｐ２と着水位置Ｐ１を結ぶ線上（以下、線Ｌ上と称する）に配置されている。なお、図面では着水位置Ｐ１を円として図示している。
【００２３】
なお、頂点Ｔ１、着水位置Ｐ１、吐水位置Ｐ２は、若干の誤差をも許さないわけではなく、多少のずれが許容される。最も理想的には、線Ｌを中心とする吐水口の幅の範囲内に頂点Ｔ１があることが好ましい。この場合には、着水した水がそのまま傾斜平面を下ることになるためである。
【００２４】
上記構成のように傾斜平面２１０の頂点Ｔ１を着水位置Ｐ１よりも奥側に配置することにより、着水位置Ｐ１に着水した水は、図２に示すように傾斜平面２１０の奥側よりも手前側に多く流れる。これにより、洗顔や洗髪の際にボウル２００に生じた泡を傾斜平面２１０の手前側に向かって効率的に流すことができる。もちろん着水位置Ｐ１よりも奥側にも水は流れるが、手前側よりも流量および流速のいずれも緩やかになる。
【００２５】
また傾斜平面２１０の頂点Ｔ１を、平面視で水栓１３０の吐水位置Ｐ２と着水位置Ｐ１を結ぶ線Ｌ上に配置することにより、底面（傾斜平面２１０）に着水した水のボウル２００の手前側への流れを促進することができる。詳細には、上述したように本実施形態の水栓１３０は、斜め前方、すなわちボウル２００の手前側に向かって吐水する（図１の吐水方向参照）。したがって、傾斜平面２１０の頂点Ｔ１を、吐水位置Ｐ２と着水位置Ｐ１とを結ぶ線Ｌ上に配置することにより、水栓１３０からの水を確実に頂点Ｔ１よりも手前側に流すことが可能となる。
【００２６】
更に本実施形態では、図３（ｂ）に示すように、ボウル２００の底面（傾斜平面２１０）の周辺では、線Ｌ（水栓１３０の吐水位置Ｐ２と着水位置Ｐ１を結ぶ線）との手前側の交点Ｔ２が最も高くなっている。これにより、図２に示すように、傾斜平面２１０の頂点Ｔ１からボウル２００の手前側に流れてきた水は、交点Ｔ２を境に左右両側に流れ、傾斜平面２１０の左右両側（左縁２１０ａおよび右縁２１０ｂ近傍）を経由して排水口２９０に至る。
【００２７】
ここで、仮に、ボウル２００の底面の周辺（縁）のうち排水口２９０の対角に位置する角部を最も高くすると、角部から交点Ｔ２の位置に向かって水が流れてくることになる。すると、角部から流れてきた水と交点Ｔ２から別れた水がぶつかってしまい、角部に水の滞留が生じる。滞留が生じると、泡や髪の毛、ゴミなどの汚れが角部に溜まりやすくなってしまう。しかしながら上記のように角部よりも交点Ｔ２を高くしたことにより、着水点Ｐ１から角部に到達した水は左縁２１０ａに沿って流れていくため、交点Ｔ２から角部に向かって流れる水とぶつかることがない。したがって、ボウルの底面の手前側の角部、特に排水口２９０の対角に位置する角部における水の滞留を抑制することができる。
【００２８】
また本実施形態では、ボウル２００の底面のうち、排水口２９０と隣接する２辺（本実施形態では右縁２１０ｂおよび奥縁２１０ｃ）に、排水口２９０に接続された２つの溝（第１溝２１２ａおよび第２溝２１２ｂ）を形成している。詳細には、図３（ｃ）に示すように、第１溝２１２ａは、傾斜平面２１０よりも下方に窪んでいて、ボウル２００の奥側で左右方向に延びている。図３（ａ）に示すように、第２溝２１２ｂは、傾斜平面２１０よりも下方に窪んでいて、ボウルの右側で前後方向に延びている。これにより、交点Ｔ２から両側に流れていった水を好適に排水口２９０まで導くことができ、排水性を高めることが可能となる。
【００２９】
このとき特に本実施形態では、ボウル２００の底面のすべての辺（４辺）ではなく、排水口２９０と隣接する２辺のみに溝を形成している。これにより、溝の深さは、ボウル２００の底面の４辺すべてに溝を形成した場合よりも浅くなるため、成形を容易としつつ、上述した効果を得ることができる。また溝の深さが浅くなることにより、清掃が容易になるため、清掃性を高めることも可能となる。
【００３０】
なお底面の周辺のうち排水口の対角に隣接する２辺は、傾斜平面２１０が下方に傾斜した結果として、傾斜平面２１０よりも低くなっている。これにより、これら２辺は、溝と呼ぶほどではないが、浅いくぼみによって流水経路が形成されている。
【００３１】
更に本実施形態では、図１および図２に示すように、水栓１３０をボウル２００の左右方向において排水口２９０と同じ側に配置し、水栓１３０の吐水方向をボウル２００の前後方向および左右方向において斜め方向としている。吐水方向が左右方向にも斜めであることにより、着水位置からボウルの底面の周辺までの距離を長く取ることができるため、吐水の勢いを殺すことなく底面に広く水を流すことができる。したがって、ボウル２００の底面の全面に良好に水を流すことが可能となる。そして、水栓を排水口と同じ側に配置したことにより、底面の周辺で左右に別れた水流が排水口まで流れる距離をおおむね同じにすることができる。
【００３２】
図４は、図２の排水口２９０近傍の拡大図である。図１および図４に示すように、本実施形態の洗面化粧台１００では、ボウル２００の底面において、傾斜平面２１０のうち、排水口２９０の縁となる位置に、他の領域よりも上方に突出した隆起部２１４を形成している。
【００３３】
上記構成により、隆起部２１４が堤防として機能するため、図２に示すように傾斜平面２１０から排水口２９０に向かって流れていった水は、隆起部２１４を辿るように、すなわち隆起部２１４を回り込むように流れて第１溝２１２ａおよび第２溝２１２ｂに至り、排水口２９０に流れ込む。これにより、傾斜平面２１０を流れてきた水の排水口２９０への直接的な流れこみが防止される。したがって、水と共に流れてきた泡や汚れ等の排水口２９０の縁への付着および滞留を抑制することができ、ボウル２００の底面の清潔性を高めることが可能となる。
【００３４】
（第２実施形態）
図５は、第２実施形態にかかる洗面化粧台３００の全体図であり、洗面化粧台３００を斜め上方から観察した状態を図示している。なお、第１実施形態と重複する構成要素については、同一の符号を付すことにより説明を省略する。
【００３５】
図１に示す第１実施形態の洗面化粧台１００では、ボウル２００の底面（傾斜平面２１０）は、四隅が丸みを帯びた四角形状であった。これに対し、図５に示す第２実施形態の洗面化粧台３００では、ボウル２００の底（傾斜平面３１０）は、ボウル２００の奥の他方の角部（図５では奥の左側の角部を例示）が切り欠かれた形状である。底面が切り欠かれた角部には、三角のカウンター３４０が形成されている。
【００３６】
底面周辺の最高点である交点Ｔ２はボウルの手前側の辺にあることから、水栓１３０と反対側の奥の角部は、２回めの屈曲部である。したがって流れは弱くなっていて、角部で滞留しやすく、ゴミなどの汚れが滞留しやすい。
【００３７】
しかし図５のように構成することにより、ボウル２００の底面において、奥の他方の角部の曲がり角度が緩まり、その角度が鈍角になる。したがって、角部における水の滞留を防ぐことができ、上述した効果を高めることが可能となる。また奥の他方の角部における水の流水経路を短くなるため、溝が深くなることを緩和することができる。
【００３８】
更に、第１実施形態の洗面化粧台１００では、排水口２９０に隣接する２辺に溝が形成されていたのに対し、第２実施形態の洗面化粧台３００では、底面（傾斜平面３１０）の周辺すべてに溝３１２が形成されている。すなわち傾斜平面３１０の周辺には、傾斜平面３１０の周囲を取り囲むような溝３１２が形成されている。これにより溝が全体的に若干深くなってしまうものの、水が流れる幅を細くすることができるため、水流の搬送力を高めることができる。したがって、水と共に流れてきた泡や汚れ等の排水口２９０の縁への付着および滞留を抑制する効果を高めることが可能となる。
【００３９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４０】
本発明は、浴室に隣接した脱衣所等に配置され、洗顔等に使用される洗面化粧台として利用することができる。
【符号の説明】
【００４１】
Ｔ１…頂点、Ｐ１…着水位置、Ｐ２…吐水位置、Ｔ２…交点、１００…洗面化粧台、１１０…カウンター、１２０…縦壁、１３０…水栓、１４０…ウェットカウンター、２００…ボウル、２１０…傾斜平面、２１０ａ…左縁、２１０ｂ…右縁、２１０ｃ…奥縁、２１２ａ…第１溝、２１２ｂ…第２溝、２１４…隆起部、２９０…排水口、３００…洗面化粧台、３１０…傾斜平面、３１２…溝、３４０…カウンター、Ｌ…線
【図１】
0006611600.tif 000002
【図２】
0006611600.tif 000003
【図３】
0006611600.tif 000004
【図４】
0006611600.tif 000005
【図５】
0006611600.tif 000006